(57)【要約】【課題】本考案は、多様な作業用具類の収容容量の増大を図ることができ、また、作業内容、作業目的に応じた柔軟な対応も容易である作業服を提供するものである。【解決手段】本考案の作業服１は、作業服本体２の右前身頃３ａ及び左前身頃３ｂの各裾部に各１個、後身頃４の裾部に振り分け配置に各１個、合計４個の作業用具類を収容する付加ポケット部１１を、線ファスナー２１を用いて着脱可能に配置する構成としたものである。【選択図】図１
0003191202.tif 000002
【実用新案登録請求の範囲】
【請求項１】
作業服本体の裾部に対して、開口部を具備し作業用具類を収容する付加ポケット部を着脱可能に配置することを特徴とする作業服。
【請求項２】
作業服本体の前身頃及び後身頃の裾部に対して、開口部を具備し作業用具類を収容する付加ポケット部を任意数着脱可能に配置することを特徴とする作業服。
【請求項３】
作業服本体の右前身頃及び左前身頃の各裾部に各１個、後身頃の裾部に振り分け配置に各１個、合計４個の作業用具類を収容し開口部を具備した付加ポケット部を有する着脱可能に配置することを特徴とする作業服。
【請求項４】
前記開口部を具備する付加ポケット部は、線ファスナー連結により、又はボタン連結により前記作業服本体の裾部に取り付けられることを特徴とする請求項１乃至３のいずれか１項に記載の作業服。
【請求項５】
前記付加ポケット部の開口部の形態は、フラップ式、線ファスナー式、面ファスナー式、単なる開口式、ボタン式、ホック式の内のいずれかから選定されることを特徴とする請求項１乃至４のいずれか１項に記載の作業服。
【考案の詳細な説明】
【技術分野】
【０００１】
本考案は、作業服に関し、詳しくは、多様な作業用具類の収容容量の増大を図ることができ、また、作業内容、作業目的に応じた柔軟な対応も容易で、作業用具類を収容する付加ポケット部を着脱可能に備える作業服に関するものである。
【背景技術】
【０００２】
一般に、オフィスビル、マンション、一般戸建住宅、工場建屋等のような各種建造物の新築工事、改築工事において電気工事、空調設備工事等を行う際には、作業員がドライバ、ペンチ、ニッパ、圧着器、ハンマー等の工具類や、ネジ類、ビス類、釘類等の小物類等を携行して作業現場に赴くことが必要となる。
【０００３】
このような場合、作業者は、例えば作業用ベストを着用し、この作業用ベストとは別体であるベルト式の腰道具を腰に巻くようにして取り付け、作業現場に行くことが通常である。
【０００４】
ベルト式の腰道具は、ベルト本体と、このベルト本体に所定間隔で取り付けた工具類用ポケット、小物入れ用ポケットを備え、ドライバ、ペンチ等を工具類用ポケットに、ネジ類、ビス類等を小物入れ用ポケットに各々収容するように構成したものである。
【０００５】
しかし、従来のベルト式の腰道具の場合、作業用ベストとは別体であり必要に応じて腰に取り付けたり、はずしたりしなければならず煩雑さ伴うものである。
【０００６】
更に、ベルト式の腰道具の場合、工具類用ポケット、小物入れ用ポケットに収容可能な作業用具類の種類も限定されてしまう。
【０００７】
このため、例えば、工場等における各種製品の部品組み付け等のような多様な種類の作業用具の必要とし、かつ、比較的軽作業を行うような用途には必ずしも適合しないものであった。
【０００８】
特許文献１には、作業者が着用する作業用ベスト本体における前身頃の胴体部相当位置に、ドライバ、ペンチ等の作業用具を収納するための収納部を所要数設けた作業用ベストが提案されている。
【０００９】
しかし、この特許文献１の作業用ベストの場合も、上述した場合と同様収納部に収容可能な作業用具類の種類も限定され、このため用途も限定されてしまうものである。
【先行技術文献】
【特許文献】
【００１０】
【特許文献１】特開２００４−１９０２０３号公報
【考案の概要】
【考案が解決しようとする課題】
【００１１】
本考案が解決しようとする問題点は、工場等における各種製品の部品組み付け等のような軽作業時に必要な比較的軽量の工具類や、ネジ類、ビス類、更には、部品等、多様な作業用具類の収容容量の増大を図ることができ、また、作業内容、作業目的に応じた柔軟な対応も容易であるような作業服が存在しない点である。
【課題を解決するための手段】
【００１２】
本考案の作業服は、多様な作業用具類の収容容量の増大を図ることができ、また、作業内容、作業目的に応じた柔軟な対応も容易で、作業服本体の裾部に対して、作業用具類を収容する付加ポケット部を着脱可能に配置することを最も主要な特徴とする。
【考案の効果】
【００１３】
請求項１記載の考案によれば、作業服本体の裾部に対して、開口部を具備し作業用具類を収容する付加ポケット部を着脱可能に配置する構成としているので、作業用具類の収容容量を増大でき、作業現場での作業能率の向上に大いに寄与することができ、また、作業内容の多寡、作業内容の変更等にも柔軟、かつ、簡略容易に対応することができる作業服を実現し提供することができる。
【００１４】
請求項２記載の考案によれば、作業服本体の前身頃及び後身頃の各裾部に対して、開口部を具備し作業用具類等を収容する付加ポケット部を任意数着脱可能に配置する構成としているので、作業用具類の収容容量を増大でき、作業現場での作業能率の向上に大いに寄与することができ、また、必要に応じて付加ポケット部の配置個数を適宜変更することも容易で、作業内容の多寡、作業内容の変更等にも柔軟、かつ、簡略容易に対応することができる作業服を実現し提供することができる。
【００１５】
請求項３記載の考案によれば、作業服本体の右前身頃及び左前身頃の各裾部に各１個、後身頃の裾部に振り分け配置に各１個、合計４個の作業用具類を収容し開口部を具備する付加ポケット部を着脱可能に配置する構成としているので、必要に応じて付加ポケット部の配置個数を１個乃至４個の範囲で適宜変更することも容易であり、作業内容の多寡、作業内容の変更等にも柔軟、かつ、簡略容易に対応することができる作業服を実現し提供することができる。
【００１６】
請求項４記載の考案によれば、請求項１乃至３のいずれか１項に記載の考案において、前記開口部を具備する付加ポケット部を、線ファスナー連結により、又は、ボタン連結により前記作業服本体の裾部に取り付ける構成としているので、請求項１乃至３のいずれか１項に記載の考案の効果を奏し、かつ、付加ポケット部の作業服本体の裾部に対する着脱も簡略容易である作業服を実現し提供することができる。
【００１７】
請求項５記載の考案によれば、請求項１乃至４のいずれか１項に記載の考案において、前記付加ポケット部の開口部形態は、フラップ式、線ファスナー式、面ファスナー式、単なる開口式、ボタン式、ホック式の内のいずれかから選定される構成としているので、請求項１乃至４のいずれか１項に記載の考案の効果を奏し、かつ、付加ポケット部の収容領域に対する作業用具類の収容、収容領域からの作業用具類の取り出しも簡略容易で、作業能率の向上に寄与する作業服を実現し提供することができる。
【図面の簡単な説明】
【００１８】
【図１】図１は本考案の実施例に係る作業用ベスト形態とした作業服の正面図である。
【図２】図２は本実施例に係る作業用ベスト形態とした作業服の背面図である。
【図３】図３は本実施例に係る作業用ベスト形態とした作業服における付加ポケットの構成及びベスト本体に対する線ファスナー式の取り付け態様を示す部分説明図である。
【図４】図４は本実施例に係る作業用ベスト形態とした作業服における付加ポケット部の構成及びベスト本体に対するボタン式の取り付け態様を示す部分説明図である。
【図５】図５は本実施例に係る作業用ベスト形態とした作業服における付加ポケット部の線ファスナー式の開口部形態を示す部分説明図である。
【図６】図６は本実施例に係る作業用ベスト形態とした作業服における付加ポケット部の面ファスナー式の開口部形態を示す部分説明図である。
【図７】図７は本実施例に係る作業用ベスト形態とした作業服における付加ポケット部の単なる開口式の開口部形態を示す部分説明図である。
【図８】図８は本実施例に係る作業用ベスト形態とした作業服における付加ポケット部のボタン式の開口部形態を示す部分説明図である。
【図９】図１０は本実施例に係る作業用ベスト形態とした作業服における付加ポケット部のホック式の開口部の形態を示す部分説明図である。
【考案を実施するための形態】
【００１９】
本考案は、多様な作業用具類の収容容量の増大を図ることができ、また、作業内容、作業目的に応じた柔軟な対応も容易である作業服を提供するという目的を、作業服本体の右前身頃及び左前身頃の各裾部に各１個、後身頃の裾部に振り分け配置に各１個、合計４個の作業用具類を収容し開口部を具備する付加ポケット部を着脱可能に配置する構成により実現した。
【実施例】
【００２０】
以下、本考案の実施例に係る作業服について、作業用ベスト形態の作業服に適用した場合を例にとって以下に詳述する。
【００２１】
本実施例に係る例えば作業用ベストのような形態とした作業服１は、図１、図２に示すように、化学繊維や合成繊維化からなる生地又は防水性生地等を素材として縫製した公知の形態を有する作業用ベスト本体としての作業服本体２と、この作業服本体２の裾部に着脱可能に配置した作業用具類を収容する任意数（例えば合計４個）の付加ポケット部１１とを有している。
【００２２】
ここで、作業用具類とは、ドライバ、ペンチ、ニッパ、圧着器、ハンマー等の作業用工具類、及び、ネジ、ビス等の作業用小物類、比較的軽量な部品類等を意味するものとして以下の説明を行う。
【００２３】
本実施例に係る例えば作業用ベストのような形態とした作業服１は、図１、図２に示すように、右前身頃３ａ及び左前身頃３ｂからなる前身頃３と、後身頃４とを全体として作業者が着用するベスト形態に縫製して作業服本体２を構成している。
【００２４】
前記作業服本体２の右前身頃３ａ、左前身頃３ｂの外面（例えば作業者の胴部相当位置）には、本体ポケット部５ａ、５ｂを各々縫製により取り付けている。
【００２５】
本実施例に係る例えば作業用ベストのような形態とした作業服１においては、図１に示すように、前記作業服本体２の右前身頃３ａ、左前身頃３ｂにおける各裾部に１個ずつ計２個、前記後身頃４の裾部に、図２に示すように、左右振り分け配置に１個ずつ計２個、合計で４個の付加ポケット部１１を各々着脱可能に配置している。
【００２６】
前記付加ポケット部１１の構成及び前記作業服本体２に対する取り付け態様について図３を参照して詳述する。
【００２７】
前記付加ポケット部１１は、例えば四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部を開口状態とし、更にその開口部分をフラップ１４により覆う構造としている。
【００２８】
そして、前記フラップ１４を持ち上げることで開口部分を露出させ、内部の収容領域に対する作業用具類の収容又は収容領域からの取り出しを可能としている。
【００２９】
また、前記付加ポケット部１１のポケット基体１２は、前記作業服本体２の例えば右前身頃３ａの裾部に公知の線ファスナー２１を用いて着脱可能に構成している。
【００３０】
すなわち、線ファスナー２１は、開式構造で、公知のように、右前身頃３ａの裾部側に縫製により配置する第１テープ部２２と、前記付加ポケット部１１のポケット基体１２の上辺側に縫製により配置する第２テープ部２３と、第１テープ部２２の端縁に沿って配置した第１エレメント２４ａ及び第２テープ部２３の端縁に沿って配置した第２エレメント２４ｂからなるエレメント部２４と、第１エレメント２４ａ、第２エレメント２４ｂの噛合又は噛合解除を行うスライダー２５と、有している。
【００３１】
更に、第１エレメント２４ａの一端には箱棒２６が設けられるとともに、第１テープ部２２の一端に前記箱棒２６の一部を嵌着した箱２７が配置されている。
【００３２】
一方、第２エレメント２４ｂの一端には、前記箱２７に前記箱棒２６と並列に一部嵌着する蝶棒２８が設けられている。
【００３３】
そして、前記スライダー２５を前記箱２７に当接する位置までスライドさせ、前記第２エレメント２４ｂの蝶棒２８をスライダー２５内を経て前記前記箱棒２６と並列状態で前記箱２７にその一部を嵌着し、この状態でスライダー２５を第１エレメント２４ａ、第２エレメント２４ｂの長さ方向にスライドさせることで、第１エレメント２４ａ、第２エレメント２４ｂを噛合させ、これにより、前記付加ポケット部１１を前記作業服本体２の例えば右前身頃３ａの裾部に着脱可能に取り付けるようにしている。
【００３４】
前記左前身頃３ｂの裾部に取り付ける付加ポケット部１１、前記後身頃４の裾部に取り付ける２個の付加ポケット部１１についても上述した場合と同様である。
【００３５】
次に、図４を参照して前記付加ポケット部１１の作業服本体２における前記右前身頃３ａの裾部に対する取り付け態様の他例について説明する。
【００３６】
図４に示す例は、前記作業服本体２の右前身頃３ａの裾部に一定の間隔で２個のボタン穴３１を設け、また、前記付加ポケット部１１におけるポケット基体１２の上辺部に前記２個のボタン穴３１と等間隔で２個のボタン３２を取り付けて、２個のボタン３２を前記２個のボタン穴３１に各々嵌め込むことで、前記付加ポケット部１１を前記右前身頃３ａの裾部に着脱可能に取り付けるようにしたボタン連結式としたものである。
【００３７】
なお、上述した場合とは逆に、右前身頃３ａの裾部に一定の間隔で一定の間隔で２個のボタン３２を取り付け、前記付加ポケット部１１におけるポケット基体１２の上辺部に前記２個のボタン３２と等間隔で２個のボタン穴３１を設ける構成とすることもできる。
【００３８】
このボタン連結式の取り付け態様は、前記左前身頃３ｂの裾部に取り付ける付加ポケット部１１、前記後身頃４の裾部に取り付ける２個の付加ポケット部１１についても同様に適用可能である。
【００３９】
上述したような前記付加ポケット部１１の作業服本体２の裾部に対する線ファスナー式、又は、ボタン連結式による取り付け態様によれば、付加ポケット部１１の作業服本体２の裾部に対する取り付け、取り外しを極めて簡略容易に、かつ、迅速に行うことが可能となる。
【００４０】
また、前記付加ポケット部１１の作業服本体２の裾部に対する取り付け態様は、上述した場合の他、面ファスナー連結式とすることもでき、更には、前記付加ポケット部１１を作業服本体２の裾部に縫製により連結して、付加ポケット部１１付きの作業服とする応用も可能である。
【００４１】
次に、前記付加ポケット部１１の開口部形態についての種々の例について図５乃至図９を参照して説明する。
【００４２】
前記付加ポケット部１１の開口部形態としては、上述したフラップ式の他に、図５に示す線ファスナー式、図６に示す面ファスナー式、図７に示す単なる開口式、図８に示すボタン式、図９に示すホック式等の例を挙げることができる。
【００４３】
図５に示す線ファスナー式は、四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部を開口状態とし、この開口部分に公知の止式の線ファスナー４０を縫製により取り付けて、線ファスナー４０のスライダー４１をスライド操作することで、開口部分を閉塞又は露出させて、開口部分を露出させた状態において内部の収容領域に対する作業用具類の収容又は収容領域からの取り出しを可能とする構造としている。
【００４４】
この形態の付加ポケット部１１の場合、付加ポケット部１１の開口部分を止式の線ファスナー４０を用いて開口又は閉塞するように構成しているので、線ファスナー４０のスライダー４１のスライド操作という簡略操作で作業用具類の収容領域への収容、取出しを容易に行うことができ、また、収容領域へ作業用具類を入れた後スライダー４１のスライド操作により開口部分を閉塞しておくことで、内部の作業用具類の不用意な脱落を防止できるという利点がある。
【００４５】
図６に示す面ファスナー式は、第１面ファスナー片４２、第２面ファスナー片４３からなる公知の構造であり、四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部を開口状態とし、ポケット外被部１３の上辺部内側には例えば表面形態をフック状部とした第１面ファスナー片４２を、ポケット基体１２の前記第１面ファスナー片４２と対応する領域には表面形態をループ状部とした第２面ファスナー片４３を、各々縫製等により取り付けて、前記第１面ファスナー片４２を第２面ファスナー片４３に押し付けることで、前記開口部分を閉じ、また、第１面ファスナー片４２を第２面ファスナー片４３から引きはがすことで前記開口部分を開くる構造としたものである。
【００４６】
この形態の付加ポケット部１１の場合、付加ポケット部１１の開口部分を、第１面ファスナー片４２、第２面ファスナー片４３からなる面ファスナー構造で閉じたり開いたりするように構成しているので、簡略操作で作業用具類の収容領域への収容、取出しを簡略容易に行うことができる。
【００４７】
図７に示す単なる開口式は、四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部をそのまま開口状態としたものである。
【００４８】
この形態の付加ポケット部１１の場合、開口部分が常時そのままの状態でうることから格別の操作を何等することなく作業用具類の収容、取り出しの簡略性、迅速性を実現することができる。
【００４９】
図８に示すボタン式は、四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部をそのまま開口状態とし、ポケット外被部１３の上辺部の例えば中央部にボタン穴４４を設けるとともに、ポケット基体１２における前記ボタン穴４４に対応する箇所に、前記ボタン穴４４に嵌め付けるボタン４５を取り付けたものである。
【００５０】
この形態の付加ポケット部１１の場合、ボタン４５をボタン穴４４に嵌め付けだけで開口部分を閉じ、また、ボタン４５をボタン穴４４から外すことで開口部分を開けることができ、ボタン操作という簡略動作のみで作業用具類の収容、取り出しを速やかに行うことができる。
【００５１】
図９に示すホック式は、四角形状の布材等からなるポケット基体１２に、同じく四角形状の布材等からなるポケット外被部１３をこれら両者間に作業用具類の収容領域を形成するようにして縫製で取り付け、かつ、ポケット外被部１３の上辺部を開口状態とし、ポケット外被部１３の上辺部の例えば中央部にホックメス４６を取り付けるとともに、ポケット基体１２における前記ホックメス４６に対応する箇所にホックオス４７を取り付けたものである。
【００５２】
この形態の付加ポケット部１１の場合、ホックメス４６、ホックオス４７からなるフック構造で開口部分を開閉するように構成しているので、ホック操作という簡略動作のみで作業用具類の収容、取り出しを速やかに行うことができる。
【００５３】
なお、上述した実施例では、前記作業服本体２に対して付加ポケット部１１を４個取り付ける構成について説明したが、これに限らず、作業服本体２に対して付加ポケット部１１を１個、２個又は３個、更には、図示しないが更に多数個取り付ける構成とすることももちろん可能である。
【００５４】
本実施例の作業服１によれば、作業服本体２に対して必要に応じて付加ポケット部１１を必要個数取り付けることで、作業用工具類、作業用小物類、比較的軽量な部品類等からなる作業用具類の収容容量を増大でき、工場等における部品組み付けや軽作業等の現場に赴く前に必要な作業用具類を全て付加ポケット部１１に収容しておくことができる。
【００５５】
この場合、作業者は日々の作業習慣によってどの付加ポケット部１１に何の作業用具類が入っているかの認識も容易である。
【００５６】
この結果、現場での作業時に作業用工具類や部品類等が不足し保管場所に取りに戻るために持ち場から離れるというような事態を回避でき、作業現場での作業能率の向上に大いに寄与する。
【００５７】
また、作業習慣による熟練により前記付加ポケット部１１から作業目的に応じた作業用具類を速やかに取り出すことも可能となり、この点からも作業現場での作業能率の向上に寄与する。
【００５８】
更に、本実施例の作業服１によれば、前記付加ポケット部１１の作業服１に対する取り付け個数も必要に応じて、１個、２個、３個、４個等、適宜選択できるという柔軟性を有するので、作業内容の多寡、作業内容の変更等にも簡略容易に対応することができる。
【産業上の利用可能性】
【００５９】
本考案は、以上説明した実施例に係る例えば作業用ベストのような形態とした作業服の他、作業用エプロン形態として形成した作業服、上着形態として形成した作業服など種々の作業服に関して広範に適用可能である。
【符号の説明】
【００６０】
１    例えば作業用ベストの形態とした作業服
２    作業服本体
３    前身頃
３ａ  右前身頃
３ｂ  左前身頃
４    後身頃
５ａ  本体ポケット部
５ｂ  本体ポケット部
１１    付加ポケット部
１２    ポケット基体
１３    ポケット外被部
１４    フラップ
２１    線ファスナー
２２    第１テープ部
２３    第２テープ部
２４    エレメント部
２４ａ  第１エレメント
２４ｂ  第２エレメント
２５    スライダー
２６    箱棒
２７    箱
２８    蝶棒
３１    ボタン穴
３２    ボタン
４０    線ファスナー
４１    スライダー
４２    第１面ファスナー片
４３    第２面ファスナー片
４４    ボタン穴
４５    ボタン
４６    ホックメス
４７    ホックオス
【図１】
0003191202.tif 000003
【図２】
0003191202.tif 000004
【図３】
0003191202.tif 000005
【図４】
0003191202.tif 000006
【図５】
0003191202.tif 000007
【図６】
0003191202.tif 000008
【図７】
0003191202.tif 000009
【図８】
0003191202.tif 000010
【図９】
0003191202.tif 000011